【手続補正書】
【提出日】平成17年10月17日(2005.10.17)
【手続補正１】
【補正対象書類名】明細書
【補正対象項目名】発明の名称
【補正方法】変更
【補正の内容】
【発明の名称】インフレータアッセンブリ及びエアベルト
【手続補正２】
【補正対象書類名】明細書
【補正対象項目名】特許請求の範囲
【補正方法】変更
【補正の内容】
【特許請求の範囲】
【請求項１】  内部にガス発生剤が充填される円筒状のインフレータケーシングと、該インフレータケーシングに接続されたガス噴出用のパイプと、該パイプを保持しているブラケットとを有するインフレータアッセンブリであって、
該ブラケットは、パイプ保持プレートを有し、該パイプ保持プレートには前記パイプが挿通される開口が設けられており、
前記パイプは、先端側に第１フランジを有しており、該パイプは後端側から該パイプ保持プレートの開口に挿通されており、
該パイプ保持プレートを挟んで第１フランジと反対側において該パイプが拡径変形されて第２フランジが形成されており、前記パイプ保持プレートが該第１フランジと第２フランジとの間に係止されており、
該パイプの前記後端側が前記インフレータケーシングの先端に内嵌され係止されていることを特徴とするインフレータアッセンブリ。
【請求項２】  請求項１において、前記ブラケットは、前記パイプ保持プレートとして、相対向した１対の第１及び第２のパイプ保持プレートを有し、該第１及び第２パイプ保持プレートにはそれぞれ前記パイプが挿通される開口が設けられており、
該第１及び第２パイプ保持プレート同士の間に該開口と同軸状にスペーサリングが配置されており、
前記パイプは、後端側から該第１パイプ保持プレートの開口、該スペーサリング、及び第２パイプ保持プレートの開口に挿通されており、
該第２パイプ保持プレートの外側において該パイプが拡径変形されて前記第２フランジが形成されており、前記第１パイプ保持プレートと第２パイプ保持プレートとが前記第１フランジと該第２フランジとの間に係止されていることを特徴とするインフレータアッセンブリ。
【請求項３】  請求項１又は２において、前記インフレータケーシングは、先端側に内向き鍔部を有しており、
前記パイプの前記後端側が該インフレータケーシングの先端に内嵌され且つ該パイプの後端を拡径変形させて第３フランジが形成され、該第３フランジが該インフレータケーシングの前記内向き鍔部に係止されていることを特徴とするインフレータアッセンブリ。
【請求項４】  内部にガス発生剤が充填される円筒状のインフレータケーシングと、該インフレータケーシングに接続されたガス噴出用のパイプと、該パイプを保持しているブラケットとを有するインフレータアッセンブリであって、
該ブラケットは、パイプ保持プレートを有し、該パイプ保持プレートには前記パイプが挿通される開口が設けられており、
前記パイプは、先端側にフランジを有しており、該パイプは、後端側から該パイプ保持プレートの開口に挿通された後、該後端側が前記インフレータケーシングの先端に内嵌され係止されていることを特徴とするインフレータアッセンブリ。
【請求項５】  請求項４において、前記ブラケットは、前記パイプ保持プレートとして、相対向した１対の第１及び第２のパイプ保持プレートを有し、該第１及び第２パイプ保持プレートにはそれぞれ前記パイプが挿通される開口が設けられており、
該第１及び第２パイプ保持プレート同士の間に該開口と同軸状にスペーサリングが配置されており、
前記パイプは、後端側から該第１パイプ保持プレートの開口、該スペーサリング、及び第２パイプ保持プレートの開口に挿通された後、該後端側が前記インフレータケーシングの先端に内嵌され係止されていることを特徴とするインフレータアッセンブリ。
【請求項６】  請求項４又は５において、前記インフレータケーシングは先端側に内向き鍔部を有しており、
前記パイプの前記後端側が該インフレータケーシングの先端に内嵌され且つ該パイプの後端を拡径変形させることによりエンドフランジが形成され、該エンドフランジが該インフレータケーシングの前記内向き鍔部に係止されていることを特徴とするインフレータアッセンブリ。
【請求項７】  内部にガス発生剤が充填される円筒状のインフレータケーシングと、該インフレータケーシングと一体に該インフレータケーシングの先端の内周側から突設されたガス噴出用のパイプと、該パイプを保持しているブラケットとを有するインフレータアッセンブリであって、
該ブラケットは、パイプ保持プレートを有し、該パイプ保持プレートには前記パイプが挿通される開口が設けられており、
前記パイプは、先端側から該パイプ保持プレートの開口に挿通されており、
該パイプ保持プレートを挟んで前記インフレータケーシングの先端と反対側において該パイプが拡径変形されてフランジが形成されており、前記パイプ保持プレートが該インフレータケーシングの先端と該フランジとの間に係止されていることを特徴とするインフレータアッセンブリ。
【請求項８】  請求項７において、前記ブラケットは、前記パイプ保持プレートとして、相対向した１対の第１及び第２のパイプ保持プレートを有し、該第１及び第２パイプ保持プレートにはそれぞれ前記パイプが挿通される開口が設けられており、
パイプ保持プレート同士の間に該開口と同軸状にスペーサリングが配置されており、
前記パイプは、先端側から該第２パイプ保持プレートの開口、該スペーサリング、及び第１パイプ保持プレートの開口に挿通されており、
該第１パイプ保持プレートの外側において該パイプが拡径変形されて前記フランジが形成されており、前記第１パイプ保持プレートと第２パイプ保持プレートとが前記インフレータケーシングの先端と該フランジとの間に係止されていることを特徴とするインフレータアッセンブリ。
【請求項９】  乗員の前面側に引き回される膨張可能なエアベルトと、該エアベルトに取り付けられたタングと、該タングがラッチされるバックルと、該エアベルトを膨張させるためのインフレータアッセンブリとを備え、
該インフレータアッセンブリがバックルに設けられているエアベルト装置において、
該インフレータアッセンブリが請求項１ないし８のいずれか１項に記載のインフレータアッセンブリであることを特徴とするエアベルト装置。
【手続補正３】
【補正対象書類名】明細書
【補正対象項目名】０００１
【補正方法】変更
【補正の内容】
【０００１】
【発明の属する技術分野】
本発明はインフレータアッセンブリに係り、例えば、車両等の移動体の座席乗員を車両衝突時等に保護するためのエアベルト装置のバックル部分に適用することができるインフレータアッセンブリ及びこのインフレータアッセンブリを備えたエアベルト装置に関する。
【手続補正４】
【補正対象書類名】明細書
【補正対象項目名】００２１
【補正方法】変更
【補正の内容】
【００２１】
本発明は、このような問題点を解消し、全長が短く、且つ製作も容易なインフレータアッセンブリ及びこのインフレータアッセンブリを備えたエアベルト装置を提供することを目的とする。
【手続補正５】
【補正対象書類名】明細書
【補正対象項目名】００３０
【補正方法】変更
【補正の内容】
【００３０】
かかる請求項４のインフレータアッセンブリは、上記請求項１のインフレータアッセンブリにおいて、パイプ保持プレートとインフレータケーシングの先端との間に設けられる第２フランジを省略し、パイプの先端側のフランジと該パイプの後端が係止されたインフレータケーシングの先端との間に該パイプ保持プレートを狭持した構成となっている。（この請求項４のフランジは、請求項１の該第１フランジに相当する。）このように構成された請求項４のインフレータアッセンブリにあっては、該第２フランジを形成する手間が省けるため、該インフレータアッセンブリの製作工程がより簡略化され、作業効率の向上とコストの低減が図られる。また、請求項１のインフレータアッセンブリに比べて第２フランジの厚み分だけインフレータアッセンブリの長さを短くすることができる。
【手続補正６】
【補正対象書類名】明細書
【補正対象項目名】００３９
【補正方法】変更
【補正の内容】
【００３９】
なお、上記の請求項３及び５にあっても、インフレータケーシングの内向き鍔部に係止されるフランジを形成するためにパイプを拡径変形させる方法として、該パイプを全長方向に圧縮するなどしてかしめる方法を用いると、該フランジを該パイプに簡単に形成することができる。
請求項９のエアベルト装置は、乗員の前面側に引き回される膨張可能なエアベルトと、該エアベルトに取り付けられたタングと、該タングがラッチされるバックルと、該エアベルトを膨張させるためのインフレータアッセンブリとを備え、該インフレータアッセンブリがバックルに設けられているエアベルト装置において、該インフレータアッセンブリが請求項１ないし８のいずれか１項に記載のインフレータアッセンブリであることを特徴とするものである。
【手続補正７】
【補正対象書類名】明細書
【補正対象項目名】００５７
【補正方法】変更
【補正の内容】
【００５７】
このインフレータアッセンブリは、ブラケット５０を介してバックル４Ａに取り付けられる。該ブラケット５０は、第８図に示すように、その先端側から突設された突片５０ａが該バックル４Ａの突片係合部８２に差し込まれ、該バックル４Ａのボルト挿通孔８４及び該ブラケット５０のボルト挿通孔５０ｂにボルト８６が挿通され、該ボルト８６にナット（図示略）が締め込まれることにより該バックル４Ａに固定される。
【手続補正８】
【補正対象書類名】明細書
【補正対象項目名】００６１
【補正方法】変更
【補正の内容】
【００６１】
このインフレータアッセンブリにあっては、パイプ４４の第１フランジ７２と第２フランジ７６との間、及び該第２フランジ７６と第３フランジ（エンドフランジ）７８との間にピストンホルダ４８の基片６０や各パイプ保持プレート５２，５４、スペーサリング７４及びインフレータケーシング４０の内向き鍔部４０ａを挟持し、これらを一体化しているため、パイプ４４に設けられる各部の連結代が非常に短くて済み、該パイプ４４の全体の長さは著しく短くて足りる。
【手続補正９】
【補正対象書類名】明細書
【補正対象項目名】００６７
【補正方法】変更
【補正の内容】
【００６７】
第１３図及び第１４図のインフレータアッセンブリにあっては、インフレータホルダを兼ねる略円筒状のインフレータケーシング４０’の先端側の内向き鍔部４０ａ’の内周側からパイプ４４’が一体に突設されている。このパイプ４４’はインフレータケーシング４０’と略同心状に配置されている。
【手続補正１０】
【補正対象書類名】明細書
【補正対象項目名】００６８
【補正方法】変更
【補正の内容】
【００６８】
このインフレータアッセンブリの製作にあたっては、該パイプ４４’の先端側を第２パイプ保持プレート５４，第１パイプ保持プレート５２及びピストンホルダ４８の基片６０の各パイプ挿通口（開口）５８，５６，６６に順に挿通した後、該内向き鍔部４０ａ’を第２パイプ保持プレート５４に沿わせ、なおかつ該基片６０を第１パイプ保持プレート５２に沿わせた状態で、第１３図に示すように、該パイプ４４’の先端側を該基片６０に沿って拡径変形させ、フランジ７２’を形成する。これにより、該基片６０並びに第１及び第２パイプ保持プレート５２，５４が該フランジ７２’とインフレータケーシング４０’の内向き鍔部４０ａ’との間に挟持され、これらが一体化される。
【手続補正１１】
【補正対象書類名】明細書
【補正対象項目名】図面の簡単な説明
【補正方法】変更
【補正の内容】
【図面の簡単な説明】
【図１】
実施の形態に係るインフレータアッセンブリの斜視図である。
【図２】
実施の形態に係るインフレータアッセンブリの分解斜視図である。
【図３】
実施の形態に係るインフレータアッセンブリの組み立て途中の状況を示した分解斜視図である。
【図４】
実施の形態に係るインフレータアッセンブリの組み立て途中の状況を示す断面図である。
【図５】
実施の形態に係るインフレータアッセンブリの組み立て途中の状況を示す断面図である。
【図６】
実施の形態に係るインフレータアッセンブリの組み立て途中の状況を示す断面図である。
【図７】
実施の形態に係るインフレータアッセンブリの組み立て途中の状況を示す断面図である。
【図８】
実施の形態に係るインフレータアッセンブリのバックルへの取付構造を示す分解斜視図である。
【図９】
実施の形態に係るインフレータアッセンブリを備えたバックルの正面図と断面図である。
【図１０】
従来例に係るエアベルト装置のバックル部分とタング部分の正面図と斜視図である。
【図１１】
従来例に係るバックル部分とタング部分の係合時の構成図である。
【図１２】
本発明の別の実施の形態に係るインフレータアッセンブリの断面図である。
【図１３】
本発明のさらに別の実施の形態に係るインフレータアッセンブリの断面図である。
【図１４】
第１３図のインフレータアッセンブリの分解断面図である。